(57)【特許請求の範囲】
【請求項１】
ＩＣカードの在庫情報を記憶する在庫情報記憶部と、
前記ＩＣカードに搭載するＩＣチップの認定期限情報を記憶する認定期限情報記憶部と、
カードベンダの端末装置から通信網を介して送信された前記ＩＣカードの前記在庫情報を前記在庫情報記憶部に登録する在庫情報登録部と、
カードイシュアの端末装置から前記通信網を介して送信されたＩＣチップの前記認定期限情報を前記認定期限情報記憶部に登録する認定期限情報登録部と、
前記在庫情報登録部によって登録された前記在庫情報と、前記認定期限情報登録部によって登録された前記認定期限情報とを関連付ける在庫情報認定期限情報関連付け部と、
前記カードベンダの端末装置に対して、前記認定期限情報に基づいて認定期限に到達する前の一定期間であると判断されたＩＣチップの認定期限に係る情報と、そのＩＣチップが搭載されたＩＣカードの情報とを通知する認定期限情報通知部と、
を備えることを特徴とするＩＣカード用在庫管理システム。
【請求項２】
前記認定期限情報通知部は、前記認定期限情報登録部によって前記認定期限情報が前記認定期限情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする請求項１に記載のＩＣカード用在庫管理システム。
【請求項３】
前記認定期限情報通知部は、前記認定期限情報記憶部に登録されている前記認定期限情報が前記カードベンダの端末装置から検索されたと、入出力インタフェイス処理部によって判断されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする請求項１に記載のＩＣカード用在庫管理システム。
【請求項４】
前記カードベンダの端末装置から送信された、前記認定期限情報が登録されたＩＣチップを搭載するＩＣカードの見積り情報を記憶する見積り情報記憶部と、
前記カードイシュアの端末装置から送信された前記見積り情報に対する発注指示を受信した場合に、当該見積り情報を発注済み状態として前記見積り情報記憶部に登録する発注情報登録部と、
を備え、
前記認定期限情報通知部は、前記発注情報登録部によって前記見積り情報が発注済み状態として前記見積り情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする請求項１に記載のＩＣカード用在庫管理システム。
【請求項５】
前記認定期限情報通知部は、前記在庫情報登録部によって前記ＩＣカードの前記在庫情報が前記在庫情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする請求項１に記載のＩＣカード用在庫管理システム。
【請求項６】
少なくとも発行枚数、発行日を含む発行実績情報を記憶する発行実績情報記憶部と、
前記カードベンダの端末装置から送信された前記発行実績情報を前記発行実績情報記憶部に登録する発行実績情報登録部と、
を備え、
前記認定期限情報通知部は、前記発行実績情報登録部によって前記発行実績情報が前記発行実績情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする請求項１に記載のＩＣカード用在庫管理システム。
【請求項７】
前記発行実績情報記憶部に記憶されている過去の発行実績情報に基づいて前記ＩＣカードの前記在庫情報を予測し、前記ＩＣカードの不足が見込まれる場合に前記カードイシュアの端末装置に発注指示を送信する在庫情報予測部を備え、
前記認定期限情報通知部は、前記在庫情報予測部によって前記ＩＣカードの前記在庫情報が予測されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする請求項６に記載のＩＣカード用在庫管理システム。
【請求項８】
前記在庫情報予測部は、予測した前記ＩＣカードの前記在庫情報に基づいて前記ＩＣカードの在庫の枚数が一定の枚数を下回る日を特定し、その日に到達する前の一定期間に、前記ＩＣカードの在庫切れが近づいていることを前記カードベンダの端末装置に対して通知することを特徴とする請求項７に記載のＩＣカード用在庫管理システム。
【請求項９】
前記認定期限情報通知部は、少なくとも通知対象の前記ＩＣカードに搭載されたＩＣチップの認定期限、当該ＩＣカードの枚数及び種別を通知することを特徴とする請求項１〜８のいずれか１項に記載のＩＣカード用在庫管理システム。
【請求項１０】
複数の前記カードベンダの端末装置を前記通信網を介して接続し、
前記在庫情報記憶部は、前記カードベンダ毎に備えることを特徴とする請求項１〜８のいずれか１項に記載のＩＣカード用在庫管理システム。
【請求項１１】
在庫情報記憶部がＩＣカードの在庫情報を記憶する在庫情報記憶ステップ、
認定期限情報記憶部が前記ＩＣカードに搭載するＩＣチップの認定期限情報を記憶する認定期限情報記憶ステップ、
在庫情報登録部がカードベンダの端末装置から通信網を介してＩＣカード用在庫管理システムに送信された前記ＩＣカードの前記在庫情報を前記在庫情報記憶部に登録する在庫情報登録ステップ、
認定期限情報登録部がカードイシュアの端末装置から前記通信網を介して前記ＩＣカード用在庫管理システムに送信されたＩＣチップの前記認定期限情報を前記認定期限情報記憶部に登録する認定期限情報登録ステップ、
在庫情報認定期限情報関連付け部が前記在庫情報登録ステップによって登録された前記在庫情報と、前記認定期限情報登録ステップによって登録された前記認定期限情報とを関連付ける在庫情報認定期限情報関連付けステップ、
認定期限情報通知部が前記ＩＣカード用在庫管理システムから前記カードベンダの端末装置に対して、前記認定期限情報に基づいて認定期限に到達する前の一定期間であると判断されたＩＣチップの認定期限に係る情報と、そのＩＣチップが搭載されたＩＣカードの情報とを通知する認定期限情報通知ステップを有することを特徴とするＩＣカード用在庫管理方法。
【請求項１２】
コンピュータを、
ＩＣカードの在庫情報を記憶する在庫情報記憶部、
前記ＩＣカードに搭載するＩＣチップの認定期限情報を記憶する認定期限情報記憶部、
カードベンダの端末装置から通信網を介して送信された前記ＩＣカードの前記在庫情報を前記在庫情報記憶部に登録する在庫情報登録部、
カードイシュアの端末装置から前記通信網を介して送信されたＩＣチップの前記認定期限情報を前記認定期限情報記憶部に登録する認定期限情報登録部、
前記在庫情報登録部によって登録された前記在庫情報と、前記認定期限情報登録部によって登録された前記認定期限情報とを関連付ける在庫情報認定期限情報関連付け部、
前記カードベンダの端末装置に対して、前記認定期限情報に基づいて認定期限に到達する前の一定期間であると判断されたＩＣチップの認定期限に係る情報と、そのＩＣチップが搭載されたＩＣカードの情報とを通知する認定期限情報通知部として機能させるためのＩＣカード用在庫管理プログラム。
【発明の詳細な説明】
【技術分野】
【０００１】
本発明は、ＩＣカード用在庫管理システム、ＩＣカード用在庫管理方法及びＩＣカード用在庫管理プログラムに関し、特にＩＣチップの認定期限情報を用いてＩＣカードの在庫管理を行うＩＣカード用在庫管理システム、ＩＣカード用在庫管理方法及びＩＣカード用在庫管理プログラムに関する。
【背景技術】
【０００２】
近年、ＩＣカードの需要が高まり、製造現場においてもＩＣカードを効率良く製造することが求められてきている。ＩＣカードにはセキュリティ上等の観点から、ＩＣカードとして用いることの可能な期限を示す認定期限（有効期限）が定められている。このため、製造現場では、この認定期限を考慮してＩＣカードを製造しなければならない。
このような背景から、特許文献１のＩＣカード発注在庫管理システムにおいては、上記の認定期限情報を用いて、在庫のＩＣカードの枚数を予測することができる。
【先行技術文献】
【特許文献】
【０００３】
【特許文献１】特開２００３−１４６４３４号公報
【発明の概要】
【発明が解決しようとする課題】
【０００４】
しかしながら、上記の特許文献１のＩＣカード発注在庫管理システムにおいては、在庫のＩＣカードの枚数を予測するのに認定期限情報を用いるものではあるが、それ以外で有効期限を用いるものではなかった。
ＩＣカードを製造しない時期であっても、認定期限が日々近付いていくため、常に認定期限を考慮して在庫管理を行う必要がある。また、同じ券種であっても、チップによって認定期限が異なったり、認定期限が異なるものが混在したりするため、認定期限が迫っているＩＣカードから発行に用いるように注意しなければならない。
【０００５】
そこで、本発明の目的は、上記の課題に鑑み、ＩＣカードの発注から製造までの各処理でＩＣチップの認定期限を用いることで、ＩＣカードの在庫切れや、ＩＣチップの認定期限切れを発生させることになくＩＣカードの在庫管理を行うことのできるＩＣカード用在庫管理システム、ＩＣカード用在庫管理方法及びＩＣカード用在庫管理プログラムを提供することを目的とする。
【課題を解決するための手段】
【０００６】
本発明のある態様によるＩＣカード用在庫管理システム、ＩＣカード用在庫管理方法及びＩＣカード用在庫管理プログラムは、上記の目的を達成するために、次のように構成される。
本発明によるＩＣカード用在庫管理システムは、ＩＣカードの在庫情報を記憶する在庫情報記憶部と、前記ＩＣカードに搭載するＩＣチップの認定期限情報を記憶する認定期限情報記憶部と、カードベンダの端末装置から通信網を介して送信された前記ＩＣカードの前記在庫情報を前記在庫情報記憶部に登録する在庫情報登録部と、カードイシュアの端末装置から前記通信網を介して送信されたＩＣチップの前記認定期限情報を前記認定期限情報記憶部に登録する認定期限情報登録部と、前記在庫情報登録部によって登録された前記在庫情報と、前記認定期限情報登録部によって登録された前記認定期限情報とを関連付ける在庫情報認定期限情報関連付け部と、前記カードベンダの端末装置に対して、前記認定期限情報に基づいて認定期限に到達する前の一定期間であると判断されたＩＣチップの認定期限に係る情報と、そのＩＣチップが搭載されたＩＣカードの情報とを通知する認定期限情報通知部と、を備えることを特徴とする。
【０００７】
上記のＩＣカード用在庫管理システムによれば、認定期限情報通知部が、発注から製造までの各タイミングで、認定期限情報に基づいて認定期限に到達する前の一定期間であるＩＣカードの在庫情報及び認定期限情報を通知する。このように、在庫管理を行うのにあたって、認定期限情報を用いて発注から製造までを行うため、カードの在庫切れやチップの認定期限切れを発生させることになくＩＣカードの在庫管理を行うことが可能となる。
【０００８】
本発明のある態様によるＩＣカード用在庫管理システムは、前記認定期限情報通知部は、前記認定期限情報登録部によって前記認定期限情報が前記認定期限情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする。
上記のＩＣカード用在庫管理システムによれば、カードベンダは、カードを製造・発行する最初の段階で、認定期限が近付いているＩＣカードがあるか否かを確実に把握することが可能となる。
【０００９】
本発明のある態様によるＩＣカード用在庫管理システムは、前記認定期限情報通知部は、前記認定期限情報記憶部に登録されている前記認定期限情報が前記カードベンダの端末装置から検索されたと、入出力インタフェイス処理部によって判断されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする。
上記のＩＣカード用在庫管理システムによれば、カードを製造・発行する最初の段階で、カードベンダが、製造されたカードの情報を検索（閲覧）したときに、例えば、既存のＩＣカードの中に認定期限が近付いているＩＣカードがあるか否かを確実に把握することが可能となる。
【００１０】
本発明のある態様によるＩＣカード用在庫管理システムは、前記カードベンダの端末装置から送信された、前記認定期限情報が登録されたＩＣチップを搭載するＩＣカードの見積り情報を記憶する見積り情報記憶部と、前記カードイシュアの端末装置から送信された前記見積り情報に対する発注指示を受信した場合に、当該見積り情報を発注済み状態として前記見積り情報記憶部に登録する発注情報登録部と、を備え、前記認定期限情報通知部は、前記発注情報登録部によって前記見積り情報が発注済み状態として前記見積り情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする。
上記のＩＣカード用在庫管理システムによれば、カードベンダは、カードイシュアが正式に発行の発注を行った段階で、認定期限が近付いているカードがあるか否かを把握することが可能となる。
【００１１】
本発明のある態様によるＩＣカード用在庫管理システムは、前記認定期限情報通知部は、前記在庫情報登録部によって前記ＩＣカードの前記在庫情報が前記在庫情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする。
上記のＩＣカード用在庫管理システムによれば、カードベンダは、完成したＩＣカードを受け入れた段階で、在庫として既に管理されているＩＣカードの中に、認定期限が近付いているカードがあるか否かを把握することが可能となる。
【００１２】
本発明のある態様によるＩＣカード用在庫管理システムは、少なくとも発行枚数、発行日を含む発行実績情報を記憶する発行実績情報記憶部と、前記カードベンダの端末装置から送信された前記発行実績情報を前記発行実績情報記憶部に登録する発行実績情報登録部と、を備え、前記認定期限情報通知部は、前記発行実績情報登録部によって前記発行実績情報が前記発行実績情報記憶部に登録されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に
対して通知することを特徴とする。
上記のＩＣカード用在庫管理システムによれば、カードベンダは、ＩＣカードの発行が終了した段階で、残りの在庫のＩＣカードの中で、期限が近付いているカードがあるか否かを把握することが可能となる。
【００１３】
本発明のある態様によるＩＣカード用在庫管理システムは、前記発行実績情報記憶部に記憶されている過去の発行実績情報に基づいて前記ＩＣカードの前記在庫情報を予測し、前記ＩＣカードの不足が見込まれる場合に前記カードイシュアの端末装置に発注指示を送信する在庫情報予測部を備え、前記認定期限情報通知部は、前記在庫情報予測部によって前記ＩＣカードの前記在庫情報が予測されると、前記認定期限情報記憶部に既に登録されている、認定期限に到達する前の一定期間であるＩＣチップの認定期限に係る情報と、そのＩＣチップが搭載されたＩＣカードの情報とを前記カードベンダの端末装置に対して通知することを特徴とする。
上記のＩＣカード用在庫管理システムによれば、カードベンダは、単に在庫ＩＣカードの枚数を予測推移を知るのみならず、認定期限が近付いているカードがあるか否かを把握することが可能となる。
【００１４】
本発明のある態様によるＩＣカード用在庫管理システムによれば、前記在庫情報予測部は、予測した前記ＩＣカードの前記在庫情報に基づいて前記ＩＣカードの在庫の枚数が一定の枚数を下回る日を特定し、その日に到達する前の一定期間に、前記ＩＣカードの在庫切れが近付いていることを前記カードベンダの端末装置に対して通知することを特徴とする。
【００１５】
上記のＩＣカード用在庫管理システムによれば、在庫情報予測部は、ＩＣチップの認定期限が近付いていることを通知するのみならず、ＩＣカードの在庫切れが近付いていることを通知することが可能となる。また、在庫情報予測部は、ＩＣカードの在庫の枚数が一定の枚数を下回る日を特定することができるので、認定期限情報も用いてＩＣチップの認定期限が到来する時に認定期限切れとなるＩＣチップが搭載されたＩＣカードの在庫枚数がなるべく少なくなるように、ＩＣカードを発注する枚数を予測することが可能となる。
【００１６】
本発明のある態様によるＩＣカード用在庫管理システムは、前記認定期限情報通知部は、少なくとも通知対象の前記ＩＣカードに搭載されたＩＣチップの認定期限、当該ＩＣカードの枚数及び種別を通知することを特徴とする。
上記のＩＣカード用在庫管理システムによれば、カードベンダは、認定期限が近付いているＩＣチップの認定期限、そのＩＣチップが搭載されたＩＣカードの枚数及び種別を把握することが可能となる。
【００１７】
本発明のある態様によるＩＣカード用在庫管理システムは、複数の前記カードベンダの端末装置を前記通信網を介して接続し、前記在庫情報記憶部は、前記カードベンダ毎に備えることを特徴とする。
上記のＩＣカード用在庫管理システムによれば、カードベンダが複数であっても、カードベンダ毎にＩＣカードの在庫情報と認定期限情報とを関連付けて管理することが可能となる。
【００１８】
本発明のある態様によるＩＣカード用在庫管理方法は、在庫情報記憶部がＩＣカードの在庫情報を記憶する在庫情報記憶ステップ、認定期限情報記憶部が前記ＩＣカードに搭載するＩＣチップの認定期限情報を記憶する認定期限情報記憶ステップ、在庫情報登録部がカードベンダの端末装置から通信網を介してＩＣカード用在庫管理システムに送信された前記ＩＣカードの前記在庫情報を前記在庫情報記憶部に登録する在庫情報登録ステップ、認定期限情報登録部がカードイシュアの端末装置から前記通信網を介して前記ＩＣカード用在庫管理システムに送信されたＩＣチップの前記認定期限情報を前記認定期限情報記憶部に登録する認定期限情報登録ステップ、在庫情報認定期限情報関連付け部が前記在庫情報登録ステップによって登録された前記在庫情報と、前記認定期限情報登録ステップによって登録された前記認定期限情報とを関連付ける在庫情報認定期限情報関連付けステップ、認定期限情報通知部が前記ＩＣカード用在庫管理システムから前記カードベンダの端末装置に対して、前記認定期限情報に基づいて認定期限に到達する前の一定期間であると判断されたＩＣチップの認定期限に係る情報と、そのＩＣチップが搭載されたＩＣカードの情報とを通知する認定期限情報通知ステップを有することを特徴とするＩＣカード用在庫管理方法。
上記のＩＣカード用在庫管理方法によれば、上記のＩＣカード用在庫管理システムと同様の作用を得ることが可能となる。
【００１９】
本発明によるＩＣカード用在庫管理プログラムは、コンピュータを、ＩＣカードの在庫情報を記憶する在庫情報記憶部、前記ＩＣカードに搭載するＩＣチップの認定期限情報を記憶する認定期限情報記憶部、カードベンダの端末装置から通信網を介して送信された前記ＩＣカードの前記在庫情報を前記在庫情報記憶部に登録する在庫情報登録部、カードイシュアの端末装置から前記通信網を介して送信されたＩＣチップの前記認定期限情報を前記認定期限情報記憶部に登録する認定期限情報登録部、前記在庫情報登録部によって登録された前記在庫情報と、前記認定期限情報登録部によって登録された前記認定期限情報とを関連付ける在庫情報認定期限情報関連付け部、前記カードベンダの端末装置に対して、前記認定期限情報に基づいて認定期限に到達する前の一定期間であると判断されたＩＣチップの認定期限に係る情報と、そのＩＣチップが搭載されたＩＣカードの情報とを通知する認定期限情報通知部として機能させるためのプログラムである。
上記のＩＣカード用在庫管理プログラムによれば、コンピュータがブログラムを読み取って実行すると、上記のＩＣカード用在庫管理システムと同様の作用を得ることが可能となる。
【発明の効果】
【００２０】
本発明によれば、ＩＣチップ（カード）を製造したカードベンダが、ＩＣカードを製造した段階でＩＣチップの認定期限情報をＩＣカード用在庫管理システムに入力しておけば、ＩＣカード用在庫管理システムが、在庫として管理しているＩＣチップの認定期限情報を一元管理し、認定期限情報を用いて発注から製造までの各処理を行う。これにより、ＩＣカード用在庫管理システムが、発注から製造までの各処理でカードベンダに認定期限が迫っているＩＣチップの認定期限を通知することができるので、カードベンダは、カードの在庫切れやチップの認定期限切れを発生させないようにしながら、ＩＣカードの在庫管理を行うことができる。
また、カードベンダは、ＩＣチップの認定期限の通知を参考にして、ＩＣチップの認定期限が切れる前に、在庫のＩＣカードを出荷したり、必要に応じてチップの認定期限の延長したりするような対応を素早くとることができる。
【図面の簡単な説明】
【００２１】
【図１】本発明の実施形態に係るＩＣカード用在庫管理システム１０が接続されるネットワークの全体の構成を示すネットワーク図である。
【図２】ＩＣカード用在庫管理システム１０の機能構成を示すブロック図である。
【図３】ＩＣチップの認定期限情報及びＩＣカードの在庫情報が登録されるテーブルＡ，Ｂのフィールドを示す図である。
【図４】ＩＣカード用在庫管理システム１０を用いたＩＣカードの在庫管理処理の全体の流れを示すフローチャートである。
【図５】カードイシュアＩ−１〜Ｉ−ｎの端末装置２０−１〜２０−ｎ、カードベンダＶ−１〜Ｖ−ｎの端末装置３０−１〜３０−ｎ及びカードベンダＶ´−１〜Ｖ´−ｎの端末装置３１−１〜３１−ｎに表示されるカード在庫・認定期限管理画面の画面イメージである。
【図６】カードベンダＶ−１〜Ｖ−ｎの端末装置３０−１〜３０−ｎに表示される認定期限情報通知画面の画面イメージである。
【図７】在庫のＩＣカードの予測枚数の推移を示すグラフである。
【図８】カードベンダＶ−１〜Ｖ−ｎの端末装置３０−１〜３０−ｎに表示される在庫切れ通知画面の画面イメージである。
【図９】在庫のＩＣカードの予測枚数の推移を示すグラフである。
【図１０】在庫のＩＣカードの予測枚数の推移を示すグラフである。
【図１１】在庫のＩＣカードの枚数の推移を示すグラフである。
【発明を実施するための形態】
【００２２】
以下に、本発明の好適な実施形態を添付図面に基づいて説明する。なお、以下の説明において参照する各図では、他の図と同等の構成要素は同一符号によって示す。
（ＩＣカード用在庫管理システム１０が接続されたネットワークの全体の構成）
まず、図１を参照して、本発明の実施形態に係るＩＣカード用在庫管理システム１０が接続されるネットワークの全体の構成を説明する。
【００２３】
図１に示すように、クレジットカード事業者や金融機関等のＩＣカードを発行するカードイシュアＩ−１〜Ｉ−ｎと、印刷事業者や電機メーカ等のＩＣカードを製造する複数のカードベンダＶ−１〜Ｖ−ｎ，Ｖ´−１〜Ｖ´−ｎとが存在する。なお、ＩＣカードを製造する際には、ＩＣチップやそのＩＣチップが搭載されたＩＣカード自体を製造してから、そのＩＣカードのＩＣチップ内にクレジットカード番号等の発行データを書き込む。これらのカード自体の製造と発行作業とを、同一のカードベンダで行わずに、異なるカードベンダで行うこともある。そこで、本実施形態の説明では、ＩＣカードのＩＣチップに発行データを書き込む、つまり発行側のカードベンダをカードベンダＶ−１〜Ｖ−ｎとして説明する。また、そのＩＣカード自体を製造したり、ＩＣカードに搭載するＩＣチップを製造したりする製造側のカードベンダをカードベンダＶ´−１〜Ｖ´−ｎとして説明する。
【００２４】
そして、図１に示すように、カードイシュアＩ−１〜Ｉ−ｎは、端末装置２０−１〜２０−ｎを有している。また、発行側のカードベンダＶ−１〜Ｖ−ｎは端末装置３０−１〜３０−ｎを有しており、製造側のカードベンダＶ´−１〜Ｖ´−ｎは端末装置３１−１〜３１−ｎを有している。これらの端末装置２０−１〜２０−ｎ，３０−１〜３０−ｎ，３１−１〜３１−ｎとＩＣカード用在庫管理システム１０とは、例えば、インターネット４０や専用回線等のネットワークを介して接続されている。つまり、ＩＣカード用在庫管理システム１０は、クライアントサーバシステムの形態をとっている。
【００２５】
ＩＣカード用在庫管理システム１０は、在庫管理のための管理者用インターネットサイトを提供している。そして、カードイシュアＩ−１〜Ｉ−ｎは端末装置２０−１〜２０−ｎから、カードベンダＶ−１〜Ｖ−ｎは端末装置３０−１〜３０−ｎから、またカードベンダＶ´−１〜Ｖ´−ｎは端末装置３１−１〜３１−ｎから、その管理者用インターネットサイトにログインすることで、ＩＣカード用在庫管理システム１０を利用することができる。
ＩＣカード用在庫管理システム１０には、インターネットサーバアプリケーションや、データベースアプリケーション等がインストールされた上で、さらにＩＣカード用在庫管理プログラムがインストールされる。また、端末装置２０−１〜２０−ｎ，３０−１〜３０−ｎには、インターネットブラウザ等のアプリケーションがインストールされる。
【００２６】
（ＩＣカード用在庫管理システム１０の機能構成）
次に、図２及び図３を参照して、ＩＣカード用在庫管理システム１０の機能構成を説明する。
図２に示すＩＣカード用在庫管理システム１０は、入出力インタフェイス処理部４１、在庫情報登録部４２、認定期限情報登録部４３、在庫情報記憶部４４−１〜４４−ｎ、認定期限情報記憶部４５、在庫情報認定期限情報関連付け部４６、見積り情報作成部４７、発注情報登録部４８、見積り情報記憶部４９、在庫情報更新部５０、発行実績情報登録部５１、発行実績情報記憶部５２、在庫情報予測部５３、及び認定期限情報通知部５４を備えて構成される。
【００２７】
入出力インタフェイス処理部４１は、端末装置２０−１〜２０−ｎ，３０−１〜３０−ｎに表示されるＨＴＴＰ（ＨｙｐｅｒＴｅｘｔ  Ｔｒａｎｓｆｅｒ  Ｐｒｏｔｏｃｏｌ）のページの生成や、ユーザが画面から入力したデータ（ＩＣカード用在庫管理システム１０に登録するデータや、ＩＣカード用在庫管理システム１０内でデータの検索を行う際の検索キーワード等）の取得等の入出力インタフェイスに係る処理を行う。
【００２８】
在庫情報登録部４２は、カードベンダＶ−１〜Ｖ−ｎの端末装置３０−１〜３０−ｎから送信されたＩＣカードの在庫枚数、種別等を、在庫情報として在庫情報記憶部４４−１〜４４−ｎに登録する。
認定期限情報登録部４３は、カードイシュアＩ−１〜Ｉ−ｎの端末装置２０−１〜２０−ｎから送信されたＩＣカードに搭載するＩＣチップが有効である期限を示す認定期限を、認定期限情報として認定期限情報記憶部４５に登録する。
【００２９】
在庫情報記憶部４４−１〜４４−ｎは、在庫情報登録部４２から取得した在庫情報を記憶する。在庫情報記憶部４４−１〜４４−ｎはベンダ毎に使用することができるように分かれており、在庫情報記憶部４４−１はカードベンダＶ−１が使用し、在庫情報記憶部４４−２はカードベンダＶ−２が使用し、在庫情報記憶部４４−ｎはカードベンダＶ−ｎが使用する。
【００３０】
認定期限情報記憶部４５は、認定期限情報登録部４３から取得した認定期限情報を記憶する。上記の認定期限情報及び在庫情報は、カードイシュアＩ−１〜Ｉ−ｎとカードベンダＶ−１〜Ｖ−ｎとで共有することができるようになっている。
在庫情報認定期限情報関連付け部４６は、在庫情報記憶部４４−１〜４４−ｎに記憶された在庫情報と、認定期限情報記憶部４５に記憶された認定期限情報とを関連付ける。
【００３１】
例えば、ＩＣチップの認定期限情報は、図３に示すテーブルＡの各フィールドのデータから構成され、またＩＣカードの在庫情報は、図３に示すテーブルＢの各フィールドのデータから構成される。そして、それらのフィールドのうちのＩＣチップコードによって、ＩＣチップの認定期限情報（テーブルＡ）とＩＣカードの在庫情報（テーブルＢ）とが、リレーショナルデータベースとして互いに関連付けられている。
【００３２】
見積り情報作成部４７は、カードベンダＶ−１〜Ｖ−ｎの端末装置３０−１〜３０−ｎから送信された見積りの作成に必要な入力データに基づいて、認定期限情報登録部４３によって認定期限情報が登録されたＩＣカード分の見積り書類等を作成する。さらに、見積り情報作成部４７は、これを見積り情報として見積り情報記憶部４９に登録する。
発注情報登録部４８は、カードイシュアＩ−１〜Ｉ−ｎの端末装置２０−１〜２０−ｎから送信された見積り情報の承認を受信した場合に、その見積り情報が発注済み状態になったことを見積り情報記憶部４９に登録する。
【００３３】
見積り情報記憶部４９は、見積り情報作成部４７によって作成された見積り情報や、見積り情報が発注済みになったことを記憶する。
在庫情報更新部５０は、例えば、在庫のＩＣカードを用いてＩＣカードを発行したり、製造中に打損カードが発生したりして、ＩＣカードの在庫枚数に増減があった時に、在庫情報記憶部４４−１〜４４−ｎに記憶されている在庫情報を最新のものに更新する。
発行実績情報登録部５１は、過去にＩＣカードを発行した枚数、ＩＣカードの種別、発行日等の発行実績を、発行実績情報として発行実績情報記憶部５２に登録する。
発行実績情報記憶部５２は、発行実績情報登録部５１から取得した発行実績情報を記憶する。
【００３４】
在庫情報予測部５３は、発行実績情報記憶部５２に記憶されている発行実績情報に基づいて、当月より一定の期間における在庫のＩＣカードの枚数を予測する。特に、在庫情報予測部５３は、ＩＣカードの在庫の枚数が一定の枚数を下回る日を特定した上で、認定期限情報記憶部４５に記憶されている認定期限情報も用いて、ＩＣチップの認定期限が到来する時にＩＣカードの在庫枚数がなるべく少なくなるようにＩＣカードを発注する枚数を予測する。また、在庫情報予測部５３は、予測結果に基づき、在庫のＩＣカードの枚数が所定の数に達すると、カードイシュアＩに対して、発注指示を自動的に出力したり、ＩＣカードの在庫切れが近付いていることを通知したりする。
【００３５】
認定期限情報通知部５４は、認定期限情報登録部４３によってカードイシュアＩ−１〜Ｉ−ｎで入力された認定期限情報を在庫情報記憶部４４−１〜４４−ｎに登録する時、在庫情報登録部４２によってＩＣカードの在庫情報を登録する時、発注情報登録部４８によって見積り情報を発注済み状態として見積り情報記憶部４９に登録する時、在庫情報更新部５０によってＩＣカードの在庫情報を更新する時、在庫情報予測部５３によってＩＣカードの在庫枚数を予測する時、在庫情報記憶部４４−１〜４４−ｎの中の認定期限に到達する前の一定期間である対象のＩＣカードの少なくともカードイシュア、種別、枚数、及び認定期限を通知する。なお、通知を開始する時期は、例えば認定期限に到達する３か月前から、というように任意に設定することができる。
【００３６】
（ＩＣカード用在庫管理システム１０を用いたＩＣカードの在庫管理の全体の流れ）
次に、図４〜図６を参照して、ＩＣカード用在庫管理システム１０を用いたＩＣカードの在庫管理処理の全体の流れを説明する。
なお、カードベンダＶ−１〜Ｖ−ｎが有する端末装置２０−１〜２０−ｎのどの端末装置からも、ＩＣカード用在庫管理システム１０に同じようにログインすることができる。また、カードベンダＶ´−１〜Ｖ´−ｎが有する端末装置３０−１〜３０−ｎ、及びカードイシュアＩ−１〜Ｉ−ｎが有する端末装置３１−１〜３１−ｎについても同じである。このため、ここでは、カードベンダＶ−１が端末装置３０−１からＩＣカード用在庫管理システム１０にログインし、カードベンダＶ´−１が端末装置３１−１からＩＣカード用在庫管理システム１０にログインし、カードイシュアＩ−１が端末装置２０−１からＩＣカード用在庫管理システム１０にログインして、ＩＣカードの管理を行うものとして説明する。
【００３７】
カードイシュアＩ−１は、カードの発行やその見積もりの依頼等を行おうとする時に、最初にカードイシュアＩ−１の端末装置２０−１からＩＣカード用在庫管理システム１０が提供するサイトにログインする。また、カードベンダＶ−１，Ｖ´−１は、カードの発行や製造等を行おうとする時に、端末装置３０−１，３１−１からＩＣカード用在庫管理システム１０が提供するサイトにログインする。複数のカードイシュアＩ−１〜Ｉ−ｎ及び複数のカードベンダＶ−１〜Ｖ−ｎ，Ｖ´−１〜Ｖ´−ｎがＩＣカード用在庫管理システム１０を利用することができるように、カードイシュア及びカードベンダ毎にユーザＩＤとパスワードが設定されている。
【００３８】
まず、ＩＣカード自体を製造したり、ＩＣカードに搭載するＩＣチップを製造したりした時の流れについて説明する。製造側のカードベンダＶ´−１〜Ｖ´−ｎは、カードベンダＶ´−１の端末装置３１−１からＩＣカード用在庫管理システム１０が提供するサイトにログインする。すると、図５に示すようなカード在庫・認定期限管理画面が表示される。なお、画面全体のイメージや、画面に表示されている項目、画面が遷移する順番等については、あくまで説明する上での一画面例に過ぎない。
【００３９】
そして、製造側のカードベンダＶ´−１は、図５に示したようなカード在庫・認定期限管理画面からさらに別画面に遷移して、製造したＩＣカードの種別、枚数、ＩＣカードに搭載するＩＣチップの認定期限等を詳細に入力する（ステップＳ９１）。すると、ＩＣカード用在庫管理システム１０は、認定期限情報登録部４３が、カードイシュアＩ−１の端末装置２０−１から送信された製造されたＩＣチップの種別、枚数、認定期限等を認定期限情報記憶部４５に登録する（ステップＳ９２）。
【００４０】
認定期限等を登録した後、発行側のカードベンダＶ−１やカードイシュアＩ−１は、発行側のカードベンダＶ−１の端末装置３０−１やカードイシュアＩ−１の端末装置２０−１からＩＣカード用在庫管理システム１０が提供するサイトにログインする。すると、図５に示すようなカード在庫・認定期限管理画面が表示される。そして、カードベンダＶ−１やカードイシュアＩ−１は、製造されたＩＣチップの種別、枚数、認定期限等の検索キーワードを、端末装置２０−１や端末装置３０−１からＩＣカード用在庫管理システム１０に対して送信する（ステップＳ９３，Ｓ９４）。すると、ＩＣカード用在庫管理システム１０は、認定期限情報記憶部４５に登録されている対象のＩＣチップの種別、枚数、認定期限等を取得する処理を行う（ステップＳ９５）。つまり、認定期限等が登録された後、カードベンダＶ−１やカードイシュアＩ−１は、ＩＣチップの種別、枚数、認定期限等をいつでも閲覧することができる（ステップＳ９３，Ｓ９４）。
【００４１】
また、発行側のカードベンダＶ−１が、ＩＣチップの種別、枚数、認定期限等を検索（閲覧）したとき、認定期限情報通知部５４は、図６に示すような認定期限情報通知画面によって、認定期限に到達する前の一定期間である対象のＩＣカードのカードイシュア、種別、枚数、及び認定期限等を通知する。これにより、カードベンダＶ−１やカードイシュアＩ−１は、カード（チップ）が新規に製造された段階で、新規に製造されたカードの認定期限、また認定期限が近付いている既存のＩＣカードがあるか否かを確実に把握することができる。
【００４２】
続いて、カードの発行やその見積もり依頼等を行おうとする時の流れについて説明する。カードベンダＶ−１がＩＣカード用在庫管理システム１０にログインすると、ＩＣカード用在庫管理システム１０においてはカードベンダＶ−１に対応する在庫情報記憶部４４−１からカードベンダＶ−１のＩＣカードの在庫情報を取得する。そして、カードベンダＶ−１の端末装置３０−１には、図５に示したようなカード在庫・認定期限管理画面が表示される。同様に、カードイシュアＩ−１がログインすると、ＩＣカード用在庫管理システム１０においてはカードイシュアＩ−１のＩＣカードの在庫情報を取得する。
【００４３】
そして、カードイシュアＩ−１の端末装置２０−１には、図５に示したようなカード在庫・認定期限管理画面から別画面に遷移して、発注するＩＣカードの種別、枚数等を入力する（ステップＳ１０１）。すると、ＩＣカード用在庫管理システム１０は、在庫情報登録部４２が、カードイシュアＩ−１の端末装置２０−１から送信された発注するＩＣチップの種別、枚数等を認定期限情報記憶部４５に登録する（ステップＳ１０２）。なお、本実施形態では、カードイシュアＩ−１がカードベンダＶ−１のみに対して見積もりを依頼しているが、カードベンダＶ−１〜Ｖ−ｎのうちの複数のカードベンダに対して、同時に見積もりを依頼しても良い。これにより、カードイシュアＩ−１は、見積もり金額や納品可能日等を参考にして、カード発行の依頼先を選ぶことができるようになる。
【００４４】
このとき、認定期限情報通知部５４は、図６に示したような認定期限情報通知画面によって、認定期限に到達する前の一定期間である対象のＩＣカードのカードイシュア、種別、枚数、及び認定期限等を通知する。これにより、カードベンダＶ−１は、カードを発行する最初の段階、つまり見積もりを依頼を行う段階で、認定期限が近付いているＩＣカードがあるか否かを確実に把握することができる。
【００４５】
カードベンダＶ−１側では、発注するＩＣチップの種別、枚数、認定期限等を参照しながら、見積りの作成に必要なデータを入力する（ステップＳ１０３）。見積りに作成な必要なデータは、カードベンダＶ−１側の営業担当者が入力する。そして、見積り情報作成部４７は、カードベンダＶ−１の端末装置３０−１から送信された見積りの作成に必要なデータに基づいて、ＩＣカード分の見積り書類等を作成する。さらに、見積り情報作成部４７は、作成した見積り書類等を見積り情報として見積り情報記憶部４９に登録する（ステップＳ１０４）。カードイシュアＩ−１は、見積り情報に基づいて、カードベンダＶ−１に対して正式に発注の指示を送信する（ステップＳ１０５）。ＩＣカード用在庫管理システム１０は、カードイシュアＩ−１の端末装置２０−１から送信された見積り情報に対する発注の指示を受信すると、発注情報登録部４８は、見積り情報記憶部４９に記憶されている見積り情報を発注済み状態にする（ステップＳ１０６）。
【００４６】
見積り情報が正式に発注済み状態なったのと同時に、認定期限情報通知部５４は、図６に示したような認定期限情報通知画面によって、認定期限に到達する前の一定期間である対象のＩＣカードのカードイシュア、種別、枚数、及び認定期限等を通知する。これにより、カードベンダＶ−１は、カードイシュアが正式に発行の発注を行った段階で、認定期
限が近付いているカードがあるか否かを把握することができる。
ＩＣカード用在庫管理システム１０は、カードイシュアＩ−１からＩＣカードの発注が正式にあったことをカードベンダＶ−１の端末装置３０−１に送信し、カードベンダＶ−１は、これを受け取る（ステップＳ１０７）。この後、カードベンダＶ−１は、ＩＣチップの製造を指示したり、発行データが何も入っていない生カードの製造を行ったりする。
【００４７】
そして、カードベンダＶ−１は、完成したＩＣカードを受け入れ、ＩＣカード用在庫管理システム１０に受け入れたＩＣカードの枚数を入力してＩＣカード用在庫管理システム１０に送信する。ＩＣカード用在庫管理システム１０は、カードベンダＶ−１から送信されたＩＣカードの枚数を受信すると、在庫情報登録部１０ｂは、在庫情報記憶部４４−１に既に記憶されている在庫のＩＣカードの枚数に、受け入れたＩＣカードの枚数を加算して、ＩＣカードの枚数を更新する。この受け入れ処理時に、在庫情報認定期限情報関連付け部４６は、受け入れたＩＣカードの在庫情報と、ステップ１０２で登録した認定期限情報とを関連付ける（ステップＳ１０８）。
【００４８】
ここでも、認定期限情報通知部５４は、図６に示したような認定期限情報通知画面によって、認定期限に到達する前の一定期間である対象のＩＣカードのカードイシュア、種別、枚数、及び認定期限等を通知する。これにより、カードベンダＶ−１は、完成したＩＣカードを受け入れた段階で、在庫として既に管理されているＩＣカードの中に、認定期限が近付いているカードがあるか否かを把握することができる。
【００４９】
続いて、カードイシュアＩ−１は、ＩＣカードを発行するための発行データをカードベンダＶ−１に送信する（ステップＳ１０９）。ＩＣカード用在庫管理システム１０は、カードイシュアＩ−１から送信された発行データを受け取ると、在庫情報更新部５０は、発行データのレコード数から発行される予定のＩＣカードの枚数を特定する。そして、在庫情報更新部５０は、在庫情報記憶部４４−１に記憶されている在庫のＩＣカードの枚数から、発行される予定のＩＣカードの枚数を減算して、在庫のＩＣカードの枚数を更新する（ステップＳ１１０）。カードベンダＶ−１は、カードイシュアＩ−１から送信された発行データを用いて、カードの発行を行う。発行処理では、発行データを組み込んだ発行用のコマンドスクリプトを用いて、ＩＣチップ内のファイルにカード番号等の情報を書き込む。
【００５０】
なお、この発行処理過程で発行処理が失敗して、打損カードが発生することがある。この場合、新たなカードで発行を行わなければならない。このため、ＩＣカード用在庫管理システム１０は、カードベンダＶ−１から送信された打損カードの枚数等を受け取り、カード発行処理にて打損カードがある場合には（ステップＳ１１１のＹＥＳ）、在庫情報更新部５０は、在庫情報記憶部４４−１に記憶されている在庫枚数から、打損したＩＣカードの枚数を減算して、ＩＣカードの枚数を更新する（ステップＳ１１２）。そして、発行実績情報登録部５１は、発行したＩＣカードの枚数、種別等を、発行実績情報として発行実績情報記憶部５２に登録する（ステップＳ１１３）。また、打損カードがない場合には（ステップＳ１１１のＹＥＳ）、発行実績情報登録部５１は、そのまま発行実績情報を発行実績情報記憶部５２に登録すれば良い。
【００５１】
この発行実績を登録した時にも、認定期限情報通知部５４は、認定期限が所定の期間前であるＩＣチップの認定期限、そのＩＣチップが装備されたＩＣカードの枚数、ＩＣカードの種別等を通知する。これにより、カードベンダＶ−１は、ＩＣカードの発行が終了した段階で、残りの在庫のＩＣカードの中で、期限が近付いているカードがあるか否かを把握することができる。
【００５２】
続いて、発行実績情報記憶部５２に記憶されている過去の発行実績情報に基づいて、当
月より一定の期間における在庫のＩＣカードの枚数を予測する（ステップＳ１１４）。このとき、認定期限情報通知部５４は、認定期限情報通知部５４は、認定期限が所定の期間前であるＩＣチップの認定期限、そのＩＣチップが装備されたＩＣカードの枚数、ＩＣカードの種別等を通知する。これにより、カードベンダＶ−１は、単に在庫ＩＣカードの枚数の予測推移を知るのみならず、認定期限が近付いているカードがあるか否かを把握することができる。また、在庫情報予測部５３は、予測結果に基づいてカードイシュアＩ−１に対して発注指示を送信する必要があると判断すれば（ステップＳ１１５のＹＥＳ）、ステップＳ１０１に戻り、カードイシュアＩに発注指示を自動的に送信する。また、発注指示を送信する必要がないと判断すれば（ステップＳ１１５のＮＯ）、処理を終了する。
【００５３】
なお、ステップＳ１０１において、カードイシュアＩ−１が再度発注の見積もりの依頼を行う際には、カードイシュアＩ−１の端末装置２０−１から、見積り情報記憶部４９に登録されている過去の見積り情報の内容を参照することができるようにしても良い。一例であるが、カードイシュアＩ−１の端末装置２０−１に表示される見積もり依頼の画面上に、過去に見積りを依頼した際のカード枚数や種類等といった内容を予め表示させておくこともできる。また、カードイシュアＩ−１の端末装置２０−１から、過去に見積りを依頼した際の内容を参照して、それらの中から任意の見積もり内容を選択することもできる。
【００５４】
上記で説明しように、単に発注から製造までの各処理を行うのではなく、ステップＳ１０２，Ｓ１０６，Ｓ１０８，Ｓ１１３，Ｓ１１４の各処理のタイミングで、認定期限情報通知部５４は、認定期限が所定の期間前であるＩＣチップの認定期限、そのＩＣチップが装備されたＩＣカードの枚数、ＩＣカードの種別等を通知する。これにより、カードの在庫切れやチップの認定期限切れを発生させないようにしながら、ＩＣカードの在庫管理を効率良く行うことができる。
【００５５】
（在庫予測処理における認定期限情報通知）
次に、図７〜図１１を参照して、在庫予測処理における認定期限情報通知について説明する。
なお、図７、図９〜図１１に示す各グラフの縦軸は予測した在庫のＩＣカードの枚数を示し、横軸は年月を示す。在庫情報予測部５３は、発行実績情報記憶部５２に記憶されている過去の発行実績情報に基づいて、在庫のＩＣカードの枚数を予測する。そして、その予測結果によって、在庫情報予測部５３は、カードイシュアＩ−１〜Ｉ−ｎに対して自動的に発注指示を送信することができる。そして、カードイシュアＩ−１〜Ｉ−ｎが認定期限情報を入力し、発注が承認されれば、ＩＣカードの製造が開始される。
【００５６】
図７に示すように、例えば２０１０年１０月時点で、２０１０年１１月〜２０１１年５月の一定期間の予測を行おうとする場合には、在庫情報予測部５３は、在庫情報記憶部４４−１〜４４−ｎに記憶されているＩＣカードの在庫枚数から、発行実績情報記憶部５２に記憶されている一昨年以前の１１月、１２月、……、５月のＩＣカードの発行枚数を減算していく。また、在庫情報予測部５３は、直近の数か月におけるＩＣカードの在庫枚数を示すグラフの傾きと、それ以前の過去の期間のＩＣカードの在庫枚数を示すグラフの傾きとを比較して、ＩＣカードの在庫枚数から減算していく枚数を加減しても良い。
図７に示すグラフは、２０１０年１０月の時点で在庫のＩＣカードの枚数が約１７０，０００枚であり、在庫情報予測部５３が、２０１０年１１月に在庫のＩＣカードの枚数が約１６０，０００枚になり、２０１０年１２月に在庫のＩＣカードの枚数が約１２０，０００枚になると予測したことを示している。
【００５７】
在庫情報予測部５３は、さらに予測した在庫枚数に基づいて、在庫のＩＣカードの枚数が図７中に点線で示す基準枚数を下回る直前の年月（発注ポイント）を特定する。在庫のＩＣカードの枚数は、２０１１年５月の時点に基準枚数を下回る。このため、在庫情報予測部５３は、ＩＣカードを製造するために要する期間、例えば３か月を考慮して、発注ポイントの２０１１年４月より３か月前の２０１１年１月から一定期間に、カードイシュアＩ−１〜Ｉ−ｎに対して自動的に発注指示を送信したり、カードベンダＶ−１〜Ｖ−ｎに対して図８に示すような在庫切れ通知画面によってＩＣカードの在庫切れが近づいていることを通知したりする。
【００５８】
また、図９に示すように、ＩＣチップの認定期限と発注ポイントとが近づいている場合には、まず在庫情報予測部５３は、カードイシュアＩ−１〜Ｉ−ｎに対して自動的に発注
指示を送信したり、カードベンダＶ−１〜Ｖ−ｎに対してＩＣカードの在庫切れが近づいていることを通知したりする。さらに、認定期限情報通知部５４は、認定期限に到達する前の一定期間である対象のＩＣカードの少なくともカードイシュア、種別、枚数、及び認定期限を通知する。これにより、カードベンダＶ−１〜Ｖ−ｎは、ＩＣカードの在庫数の推移に合わせて、認定期限が近付いているカードがあるか否かを把握することができる。
【００５９】
また、図１０に示すように、ＩＣチップの認定期限が発注ポイントより前で翌月等に近づいている場合には、まず在庫情報予測部５３は、カードイシュアＩ−１〜Ｉ−ｎに対して自動的に発注指示を送信したり、カードベンダＶ−１〜Ｖ−ｎに対してＩＣカードの在庫切れが近づいていることを通知したりする。さらに、認定期限情報通知部５４は、認定期限に到達する前の一定期間である対象のＩＣカードの少なくともカードイシュア、種別、枚数、及び認定期限を通知する。合わせて、認定期限情報通知部５４は、ＩＣチップの認定期限の延長、切り替え等を行うように通知を行う。
【００６０】
カードベンダＶ−１〜Ｖ−ｎは、通知を受け取った後、カードイシュアＩ−１〜Ｉ−ｎに対して、ＩＣチップの認定期限を延長する等の依頼を行う。なお、ＩＣチップの認定期限は延長することができるので、認定期限を延長することができる期間内を含めて通知を行っても良い。
なお、この在庫予測処理においてＩＣカードを自動的に発注する条件は、カードベンダＶ−１〜Ｖ−ｎが任意に設定することができる。例えば、予測した在庫量と実際の在庫量とで大きく差異が生じた場合、例えば予測した在庫の枚数と実際の在庫の枚数とで２０％の差が生じた場合、不足分のＩＣカード自動で発注するように行うこともできる。また、設定した期間に在庫切れとなる場合には追加発注しないようにすることもできる。
【００６１】
このように、発注から製造までの全過程で単にＩＣカードの在庫管理を行うのみではなく、認定期限情報通知部５４が、認定期限に到達する前の一定期間である対象のＩＣカードの少なくともカードイシュア、種別、枚数、及び認定期限を通知することでができる。よって、カードベンダＶ−１〜Ｖ−ｎは、ＩＣチップの認定期限が切れる前に、在庫のＩＣカードを出荷したり、必要に応じてチップの認定期限の延長したりすることができる。
また、在庫情報予測部５３は、認定期限情報記憶部４５に記憶されている認定期限と、発行実績情報記憶部５２に記憶されている過去の発行実績情報とに基づいてＩＣカードの在庫予測処理を行うため、ＩＣチップの認定期限が到来する時にＩＣカードの在庫枚数がなるべく少なくなるように、ＩＣカードを発注する枚数を予測することができる。
【００６２】
図１１に示すように、２０１０年１１月に、新たに製造されたＩＣチップを搭載したＩＣカードが在庫として追加され、その後ＩＣカードの出荷に伴ってＩＣカードの在庫枚数が徐々に少なくなる。ＩＣカードの製造には３か月程度の期間を要するため、２０１１年２月にＩＣカードの在庫枚数が基準枚数の６０，０００枚を下回ると、ＩＣカード用在庫管理システム１０で発注が行われる。この時、在庫情報予測部５３は、ＩＣチップの認定期限が到来する時に認定期限切れのＩＣチップが搭載されたＩＣカードの在庫枚数がなるべく少なくなるように、ＩＣカードを発注する枚数を算出している。このため、２０１１年５月に、認定期限が到来するＩＣチップを搭載したＩＣカードの在庫枚数が最も少なくなる。そして、その翌月の２０１１年６月に新たに製造されたＩＣカードが在庫として追加される。以降の月についても、同様に繰り返す。
【００６３】
このように、上述した図５に示したカード在庫・認定期限管理画面や、図８に示した在庫切れ通知画面で、認定期限が近付いているＩＣチップを搭載したＩＣカードがあること等を通知することに合わせて、認定期限情報と過去の発行実績情報とに基づいてＩＣカードの在庫予測処理を行うことができるため、認定期限切れとなるＩＣチップを搭載したＩＣカードの在庫をなるべく少なくすることができる。
【００６４】
なお、図５に示したカード在庫・認定期限管理画面や、図８に示した在庫切れ通知画面で、認定期限が近付いているＩＣカードがあること等を通知する際に、例えば、認定期限日を赤字や太字で表示したり、フォントを変更したりすることで表示を強調させて、通知を行うこともできる。また、カード在庫・認定期限管理画面や在庫切れ通知画面が表示されるのと同時に、確認音を繰り返し出力するようにしても良い。さらには、認定期限が近付いているＩＣカードがあること等をカード在庫・認定期限管理画面や在庫切れ通知画面で通知するのみならず、電子メール等で通知することもできる。
【産業上の利用可能性】
【００６５】
ＩＣカードの製造を行うカードベンダにＩＣカード用在庫管理システム（サーバ装置）を設置して、ＩＣチップの認定期限を考慮しながらＩＣカードの在庫管理を効率良く行うことができる。
【符号の説明】
【００６６】
１０                    ＩＣカード用在庫管理システム
Ｖ−１〜Ｖ−ｎ          カードベンダ（発行側）
Ｖ´−１〜Ｖ´−ｎ      カードベンダ（製造側）
Ｉ−１〜Ｉ−ｎ          カードイシュア
２０−１〜２０−ｎ      端末装置（カードベンダ（発行側））
３０−１〜３０−ｎ      端末装置（カードベンダ（製造側））
３１−１〜３１−ｎ      端末装置（カードイシュア）
４１                    入出力インタフェイス処理部
４２                    在庫情報登録部
４３                    認定期限情報登録部
４４                    在庫情報記憶部
４５                    認定期限情報記憶部
４６                    在庫情報認定期限情報関連付け部
４７                    見積り情報作成部
４８                    発注情報登録部
４９                    見積り情報記憶部
５０                    在庫情報更新部
５１                    発行実績情報登録部
５２                    発行実績情報記憶部
５３                    在庫情報予測部
５４                    認定期限情報通知部
【図１】
0005849582.tif 000002
【図２】
0005849582.tif 000003
【図３】
0005849582.tif 000004
【図４】
0005849582.tif 000005
【図５】
0005849582.tif 000006
【図６】
0005849582.tif 000007
【図７】
0005849582.tif 000008
【図８】
0005849582.tif 000009
【図９】
0005849582.tif 000010
【図１０】
0005849582.tif 000011
【図１１】
0005849582.tif 000012